(57)【要約】【課題】  品物を共同購入する会員を募り、共同利用スケジュールを定める。【解決手段】  会員に対して品物の共同購入利用サービスを提供する共同利用事業運営者３が使用する共同利用管理サーバー３０は、会員１、２が共同購入を希望する品物の品名を含む購入カテゴリ情報を、会員端末１０、２０から受信して記憶装置３３に格納し、購入提唱会員１の会員端末１０から共同購入を提唱する品物の品名を含む共同購入提唱情報を入手し、共同購入提唱情報に含まれる品名をキーに記憶装置３３の購入カテゴリ情報を検索して同一品物を共同購入希望している会員１、２を抽出し、抽出した会員１、２の会員端末１０、２０に問い合わせて購入有無と使用日とを含む回答を入手し、入手した回答に基づいて購入賛同会員２０を確定し、確定した購入賛同会員２０の共同購入品使用スケジュールを策定する。【選択図】      図１
2007025772.tif 000002
【特許請求の範囲】
【請求項１】
会員が使用する会員端末と、会員に対して品物の共同購入利用サービスを提供する共同利用事業運営者が使用する共同利用管理サーバーとを備え、
前記共同利用管理サーバーは、会員が共同購入を希望する品物の品名を含む購入カテゴリ情報を、会員端末から受信して記憶部に格納する手段と、
共同購入提唱会員の会員端末から共同購入を提唱する品物の品名を含む共同購入提唱情報を入手する手段と、
前記共同購入提唱情報に含まれる品名をキーに記憶部の前記購入カテゴリ情報を検索して同一品物を共同購入希望している会員を抽出する手段と、
抽出した会員の会員端末に問い合わせて購入有無と使用日とを含む回答を入手する手段と、
入手した回答に基づいて共同購入賛同会員を確定し、確定した共同購入賛同会員の共同購入品使用スケジュールを策定する手段とを有することを特徴とする共同購入システム。
【請求項２】
品物預かりサービスを行う預かり業者が使用する預かり業者端末を備え、
前記共同利用管理サーバーは、策定した共同購入品使用スケジュールに基づいて、確定した共同購入賛同会員への共同購入品の配送依頼を前記預かり業者端末に送信する手段を有し、
前記預かり業者端末は、送信された配送依頼に基づいて、共同購入品の配送と預かりとを手配する手段を有することを特徴とする請求項１記載の共同購入システム。
【請求項３】
前記共同利用管理サーバーは、共同購入人数と使用順番とに対応した分担率を定めた分担率表を記憶部に格納する手段と、
共同購入品の販売価格と前記分担率表とに基づいて共同購入提唱会員と共同購入賛同会員との共同購入料金を算出する手段を有することを特徴とする請求項１または２記載の共同購入システム。
【請求項４】
品物買取サービスを行うリサイクル業者が使用するリサイクル業者端末を備え、
前記共同利用管理サーバーは、前記リサイクル業者が買取を行う品物の型番を含むリサイクル情報を前記リサイクル業者端末から受信して記憶部に格納する手段と、
共同購入品の型番をキーに前記リサイクル情報を検索して共同購入品を買い取るリサイクル業者を選定する手段を有することを特徴とする請求項１、２または３記載の共同購入システム。
【請求項５】
前記共同利用管理サーバーは、前記リサイクル情報に含まれる買取価格に基づいて共同購入提唱会員と共同購入賛同会員とに還元する売上金割り当て金額を算出する手段を有することを特徴とする請求項４記載の共同購入システム。
【請求項６】
前記預かり業者端末は、ＩＤタグにデータを読み書きするリーダライタと、
共同購入品に添付されたＩＤタグに前記リーダライタを用いてデータを読み書きすることにより共同購入品の預かりと配送とを管理する手段とを有することを特徴とする請求項２、３、４または５記載の共同購入システム。
【請求項７】
会員が使用する会員端末と、会員に対して品物の共同購入利用サービスを提供する共同利用事業運営者が使用する共同利用管理サーバーとを使用する共同購入方法であって、
前記共同利用管理サーバーが、会員が共同購入を希望する品物の品名を含む購入カテゴリ情報を、会員端末から受信して記憶部に格納するステップと、
前記共同利用管理サーバーが、共同購入提唱会員の会員端末から共同購入を提唱する品物の品名を含む共同購入提唱情報を入手するステップと、
前記共同利用管理サーバーが、前記共同購入提唱情報に含まれる品名をキーに記憶部の前記購入カテゴリ情報を検索して同一品物を共同購入希望している会員を抽出するステップと、
前記共同利用管理サーバーが、抽出した会員の会員端末に問い合わせて購入有無と使用日とを含む回答を入手するステップと、
前記共同利用管理サーバーが、入手した回答に基づいて共同購入賛同会員を確定し、確定した共同購入賛同会員の共同購入品使用スケジュールを策定するステップとを有することを特徴とする共同購入方法。
【請求項８】
会員が共同購入を希望する品物の品名を含む購入カテゴリ情報を、会員端末から受信して記憶部に格納する手段と、
共同購入提唱会員の会員端末から共同購入を提唱する品物の品名を含む共同購入提唱情報を入手する手段と、
前記共同購入提唱情報に含まれる品名をキーに記憶部の前記購入カテゴリ情報を検索して同一品物を共同購入希望している会員を抽出する手段と、
抽出した会員の会員端末に問い合わせて購入有無と使用日とを含む回答を入手する手段と、
入手した回答に基づいて共同購入賛同会員を確定し、確定した共同購入賛同会員の共同購入品使用スケジュールを策定する手段とを有することを特徴とする共同利用管理サーバー。
【請求項９】
策定した共同購入品使用スケジュールに基づいて、確定した共同購入賛同会員への共同購入品の配送依頼を、品物預かりサービスを行う預かり業者が使用する預かり業者端末に送信する手段を有することを特徴とする請求項８記載の共同利用管理サーバー。
【請求項１０】
共同購入人数と使用順番とに対応した分担率を定めた分担率表を記憶部に格納する手段と、
共同購入品の販売価格と前記分担率表とに基づいて共同購入提唱会員と共同購入賛同会員との共同購入料金を算出する手段を有することを特徴とする請求項８または９記載の共同利用管理サーバー。
【請求項１１】
リサイクル業者が買取を行う品物の型番を含むリサイクル情報をリサイクル業者端末から受信して記憶部に格納する手段と、
共同購入品の型番をキーに前記リサイクル情報を検索して共同購入品を買い取るリサイクル業者を選定する手段を有することを特徴とする請求項８、９または１０記載の共同利用管理サーバー。
【請求項１２】
前記リサイクル情報に含まれる買取価格に基づいて共同購入提唱会員と共同購入賛同会員とに還元する売上金割り当て金額を算出する手段を有することを特徴とする請求項１１記載の共同利用管理サーバー。
【請求項１３】
共同購入品に添付されたＩＤタグに前記預かり業者端末がリーダライタを用いて読み書きした預かり配送データを、前記預かり業者端末から受信する手段と、
受信した預かり配送データを用いて共同購入品の状況管理を行う手段とを有することを特徴とする請求項９、１０、１１または１２記載の共同利用管理サーバー。
【請求項１４】
会員が共同購入を希望する品物の品名を含む購入カテゴリ情報を、会員端末から受信して記憶部に格納する処理と、
共同購入提唱会員の会員端末から共同購入を提唱する品物の品名を含む共同購入提唱情報を入手する処理と、
前記共同購入提唱情報に含まれる品名をキーに記憶部の前記購入カテゴリ情報を検索して同一品物を共同購入希望している会員を抽出する処理と、
抽出した会員の会員端末に問い合わせて購入有無と使用日とを含む回答を入手する処理と、
入手した回答に基づいて共同購入賛同会員を確定し、確定した共同購入賛同会員の共同購入品使用スケジュールを策定する処理とをコンピュータに実行させるためのプログラム。
【発明の詳細な説明】
【技術分野】
【０００１】
本発明は共同購入システム、共同購入方法およびプログラムに関し、特に、ネットワークを利用して共同購入者を募集し、これに応募した複数の購入者で共同購入利用を行う、共同購入システム、共同購入方法およびプログラムに関する。
【背景技術】
【０００２】
従来、七五三の時に一生に数回しか着ない着物やその他もろもろの行事等の品物は、レンタルを利用するか、家庭で１つ購入して使用後は保管する状態になっている。レンタルは、返却する事ができても値段が高いという点もあり購入するのとあまり変わらないというケースも多くある。家電やどのような品物に関しても、数回しか利用しないで終わってしまう品物がたくさん存在する。その数回しか利用しない為に、お金を出して購入したりするので節約にならなかったり無駄な物の消費化へと繋がる。
【０００３】
このような無駄をなくする共同購入システムが特許文献１に開示されている。特許文献１によれば、共同購入ブローカシステムの注文受付部は、売り手から、中古ソフトの売り注文を受け付けた後、複数の買い手から買い注文を受け付ける。共同購入ブローカシステムのスケジュール作成部は、各買い注文に含まれる購入時期と、買値および売値に応じて、ソフトの売買スケジュールを作成して、スケジュールデータベースに格納する。共同購入ブローカシステムのスケジュール発行部は、スケジュールを読み出して、買い手に発行する。
【０００４】
【特許文献１】特開２００２−１４０５８６号公報（第３−５頁、図１）
【発明の開示】
【発明が解決しようとする課題】
【０００５】
特許文献１に開示された従来の共同購入システムでは、中古品として売りに出るものが対象であるため、購入する品物の範囲が限定されるという問題点がある。
【０００６】
また、利用期間を連続させた売買チェーンを構成するため、不要な期間があってもいずれかの買い手が品物を保管する必要があるという問題点がある。
【０００７】
また、品物をＩＤ管理する手段がないため、複数の買い手間で移動する間に故意又は過失により別の品物に変わることを防止できないという問題点がある。
【０００８】
本発明の目的は、上述した従来の課題のいずれかを解決する共同購入システム、共同購入方法およびプログラムを提供することにある。
【課題を解決するための手段】
【０００９】
本発明の共同購入システムは、会員が使用する会員端末と、会員に対して品物の共同購入利用サービスを提供する共同利用事業運営者が使用する共同利用管理サーバーとを備え、
前記共同利用管理サーバーは、会員が共同購入を希望する品物の品名を含む購入カテゴリ情報を、会員端末から受信して記憶部に格納する手段と、
共同購入提唱会員の会員端末から共同購入を提唱する品物の品名を含む共同購入提唱情報を入手する手段と、
前記共同購入提唱情報に含まれる品名をキーに記憶部の前記購入カテゴリ情報を検索して同一品物を共同購入希望している会員を抽出する手段と、
抽出した会員の会員端末に問い合わせて購入有無と使用日とを含む回答を入手する手段と、
入手した回答に基づいて共同購入賛同会員を確定し、確定した共同購入賛同会員の共同購入品使用スケジュールを策定する手段とを有することを特徴とする。
【００１０】
本発明の共同購入システムは、品物預かりサービスを行う預かり業者が使用する預かり業者端末を備え、
前記共同利用管理サーバーは、策定した共同購入品使用スケジュールに基づいて、確定した共同購入賛同会員への共同購入品の配送依頼を前記預かり業者端末に送信する手段を有し、
前記預かり業者端末は、送信された配送依頼に基づいて、共同購入品の配送と預かりとを手配する手段を有することを特徴としてもよい。
【００１１】
本発明の共同購入システムは、前記共同利用管理サーバーは、共同購入人数と使用順番とに対応した分担率を定めた分担率表を記憶部に格納する手段と、
共同購入品の販売価格と前記分担率表とに基づいて共同購入提唱会員と共同購入賛同会員との共同購入料金を算出する手段を有することを特徴としてもよい。
【００１２】
本発明の共同購入システムは、品物買取サービスを行うリサイクル業者が使用するリサイクル業者端末を備え、
前記共同利用管理サーバーは、前記リサイクル業者が買取を行う品物の型番を含むリサイクル情報を前記リサイクル業者端末から受信して記憶部に格納する手段と、
共同購入品の型番をキーに前記リサイクル情報を検索して共同購入品を買い取るリサイクル業者を選定する手段を有することを特徴としてもよい。
【００１３】
本発明の共同購入システムは、前記共同利用管理サーバーは、前記リサイクル情報に含まれる買取価格に基づいて共同購入提唱会員と共同購入賛同会員とに還元する売上金割り当て金額を算出する手段を有することを特徴としてもよい。
【００１４】
本発明の共同購入システムは、前記預かり業者端末は、ＩＤタグにデータを読み書きするリーダライタと、
共同購入品に添付されたＩＤタグに前記リーダライタを用いてデータを読み書きすることにより共同購入品の預かりと配送とを管理する手段とを有することを特徴としてもよい。
【００１５】
本発明の共同購入方法は、会員が使用する会員端末と、会員に対して品物の共同購入利用サービスを提供する共同利用事業運営者が使用する共同利用管理サーバーとを使用する共同購入方法であって、
前記共同利用管理サーバーが、会員が共同購入を希望する品物の品名を含む購入カテゴリ情報を、会員端末から受信して記憶部に格納するステップと、
前記共同利用管理サーバーが、共同購入提唱会員の会員端末から共同購入を提唱する品物の品名を含む共同購入提唱情報を入手するステップと、
前記共同利用管理サーバーが、前記共同購入提唱情報に含まれる品名をキーに記憶部の前記購入カテゴリ情報を検索して同一品物を共同購入希望している会員を抽出するステップと、
前記共同利用管理サーバーが、抽出した会員の会員端末に問い合わせて購入有無と使用日とを含む回答を入手するステップと、
前記共同利用管理サーバーが、入手した回答に基づいて共同購入賛同会員を確定し、確定した共同購入賛同会員の共同購入品使用スケジュールを策定するステップとを有することを特徴とする。
【００１６】
本発明の共同利用管理サーバーは、会員が共同購入を希望する品物の品名を含む購入カテゴリ情報を、会員端末から受信して記憶部に格納する手段と、
共同購入提唱会員の会員端末から共同購入を提唱する品物の品名を含む共同購入提唱情報を入手する手段と、
前記共同購入提唱情報に含まれる品名をキーに記憶部の前記購入カテゴリ情報を検索して同一品物を共同購入希望している会員を抽出する手段と、
抽出した会員の会員端末に問い合わせて購入有無と使用日とを含む回答を入手する手段と、
入手した回答に基づいて共同購入賛同会員を確定し、確定した共同購入賛同会員の共同購入品使用スケジュールを策定する手段とを有することを特徴とする。
【００１７】
本発明の共同利用管理サーバーは、策定した共同購入品使用スケジュールに基づいて、確定した共同購入賛同会員への共同購入品の配送依頼を、品物預かりサービスを行う預かり業者が使用する預かり業者端末に送信する手段を有することを特徴としてもよい。
【００１８】
本発明の共同利用管理サーバーは、共同購入人数と使用順番とに対応した分担率を定めた分担率表を記憶部に格納する手段と、
共同購入品の販売価格と前記分担率表とに基づいて共同購入提唱会員と共同購入賛同会員との共同購入料金を算出する手段を有することを特徴としてもよい。
【００１９】
本発明の共同利用管理サーバーは、リサイクル業者が買取を行う品物の型番を含むリサイクル情報をリサイクル業者端末から受信して記憶部に格納する手段と、
共同購入品の型番をキーに前記リサイクル情報を検索して共同購入品を買い取るリサイクル業者を選定する手段を有することを特徴としてもよい。
【００２０】
本発明の共同利用管理サーバーは、前記リサイクル情報に含まれる買取価格に基づいて共同購入提唱会員と共同購入賛同会員とに還元する売上金割り当て金額を算出する手段を有することを特徴としてもよい。
【００２１】
本発明の共同利用管理サーバーは、共同購入品に添付されたＩＤタグに前記預かり業者端末がリーダライタを用いて読み書きした預かり配送データを、前記預かり業者端末から受信する手段と、
受信した預かり配送データを用いて共同購入品の状況管理を行う手段とを有することを特徴としてもよい。
【００２２】
本発明のプログラムは、会員が共同購入を希望する品物の品名を含む購入カテゴリ情報を、会員端末から受信して記憶部に格納する処理と、
共同購入提唱会員の会員端末から共同購入を提唱する品物の品名を含む共同購入提唱情報を入手する処理と、
前記共同購入提唱情報に含まれる品名をキーに記憶部の前記購入カテゴリ情報を検索して同一品物を共同購入希望している会員を抽出する処理と、
抽出した会員の会員端末に問い合わせて購入有無と使用日とを含む回答を入手する処理と、
入手した回答に基づいて共同購入賛同会員を確定し、確定した共同購入賛同会員の共同購入品使用スケジュールを策定する処理とをコンピュータに実行させる。
【発明の効果】
【００２３】
本発明は、購入を提唱した品物に対する賛同会員を確定して使用スケジュールを確定するため、広く販売されている品物を複数人で共同購入使用することが容易に実現できるという効果がある。
【発明を実施するための最良の形態】
【００２４】
本発明を実施するための最良の形態について図面を参照して詳細に説明する。図１は本発明の第１の実施の形態の全体構成を示すブロック図である。本発明の第１の実施の形態は、購入提唱会員端末１０、購入賛同会員端末２０、共同利用管理サーバー３０、販売業者端末４０、預かり業者端末５０、リサイクル業者端末６０と、これらの端末とサーバーとを相互に接続するネットワークを含む。ネットワークはインターネット１００であるとして説明する。
【００２５】
共同利用管理サーバー３０は、会員に対して品物の共同購入利用サービスを行う共同利用事業運営者３が使用するワークステーション・サーバーなどの情報処理装置である。共同利用管理サーバー３０は、内部または外部に記憶装置３３を有する。記憶装置３３は、データベース３５を格納する。図２はデータベース３５の構成を示す図である。データベース３５は、商品情報データベース３５１、買取情報データベース３５２、会員情報データベース３５３、購入カテゴリデータベース３５４、共同購入提唱データベース３５５、共同購入利用者データベース３５６、利用管理データベース３５７、分担率データベース３５８、リサイクル情報データベース３５９を含む。共同利用管理サーバー３０は、図示しないが、マウスやキーボードなどの入力部とＬＣＤ（liquid crystal device）などの表示部とを必要に応じて有する。共同利用管理サーバー３０内の処理は処理装置（図示せず）が行う。
【００２６】
購入提唱会員端末１０は、品物の共同購入提唱を行う購入提唱会員１が使用するパーソナルコンピュータなどの情報処理装置である。購入提唱会員端末１０は、マウスやキーボードなどの入力部１１とＬＣＤなどの表示部１２とデータを一時記憶するための記憶部（図示せず）とを有する。
【００２７】
購入賛同会員端末２０は、品物の共同購入賛同を行う購入賛同会員２が使用するパーソナルコンピュータなどの情報処理装置である。購入提唱会員端末１０は、マウスやキーボードなどの入力部２１とＬＣＤなどの表示部２２とデータを一時記憶するための記憶部（図示せず）とを有する。
【００２８】
購入提唱会員１と購入賛同会員２は、いずれも、共同利用事業運営者３が運営する共同購入利用サービスに会員登録した人である。登録した人は、場合により購入提唱会員１になったり購入賛同会員２になったりする。以下の説明では、購入提唱会員１と購入賛同会員２を区別しない場合は、単に「会員」と記す。また、購入提唱会員端末１０と購入賛同会員端末２０を区別しない場合は、単に「会員端末」と記す。
【００２９】
販売業者端末４０は、品物の販売を行う販売業者４が使用するパーソナルコンピュータなどの情報処理装置である。販売業者端末４０は、マウスやキーボードなどの入力部４１とＬＣＤなどの表示部４２とデータを一時記憶するための記憶部（図示せず）とを有する。
【００３０】
預かり業者端末５０は、品物の一時預かりサービスと配送サービスとを行う預かり業者５が使用するパーソナルコンピュータなどの情報処理装置である。預かり業者端末５０は、マウスやキーボードなどの入力部５１とＬＣＤなどの表示部５２とデータを一時記憶するための記憶部（図示せず）とを有する。
【００３１】
リサイクル業者端末６０は、品物の買取サービスを行うリサイクル業者６が使用するパーソナルコンピュータなどの情報処理装置である。リサイクル業者端末６０は、マウスやキーボードなどの入力部６１とＬＣＤなどの表示部６２とデータを一時記憶するための記憶部（図示せず）とを有する。
【００３２】
次に、第１の実施の形態の動作について説明する。図３は本発明の第１の実施の形態の全体動作を示す図である。
【００３３】
販売業者端末４０は、共同利用管理サーバー３０に販売商品情報を登録するために、販売商品情報をインターネット１００を介して送信する（ステップＳ１）。共同利用管理サーバー３０は、販売商品情報を受信して購入先番号を採番し商品情報データベース３５１へ格納する。図４は商品情報データベース３５１の一例を示す図である。商品情報データベース３５１は、購入先番号、品名、型番、販売価格、写真、購入先、コメント、購入先メールアドレスなどを含む。購入先番号は販売業者４に対応付けられた番号である。
【００３４】
リサイクル業者端末６０は、共同利用管理サーバー３０にリサイクル買取情報を登録するために、買取情報をインターネット１００を介して送信する（ステップＳ２）。共同利用管理サーバー３０は、買取情報を受信し業者番号を採番して買取情報データベース３５２へ格納する。図５は買取情報データベース３５２の一例を示す図である。買取情報データベース３５２は、業者番号、業者名、品名、型番、買取価格、業者メールアドレス、品物送付先などを含む。業者番号はリサイクル業者６に対応付けられた番号である。
【００３５】
会員端末（購入提唱会員端末１０、購入賛同会員端末２０）は、会員として登録するために共同利用管理サーバー３０にインターネット１００を介して会員情報を送信する。共同利用管理サーバー３０は、会員情報を受信すると会員番号を採番して会員情報データベース３５３へ格納する。図６は会員情報データベース３５３の一例を示す図である。会員情報データベース３５３は、会員番号、住所、氏名、年齢、電話番号、会員メールアドレスなどを含む。会員情報データベース３５３は、さらに、パスワードやログインＩＤ（identification）などを含むようにしてもよい。図３では会員登録に関しては省略している。
【００３６】
購入賛同会員端末２０は、購入提唱会員端末１０が購入提唱した場合に共同購入してもよい品物がある場合は、購入してもよい品物の「品名」を共同利用管理サーバー３０に送信する（ステップＳ３）。共同利用管理サーバー３０は、「品名」を受信し購入カテゴリデータベース３５４へ会員番号と一緒に格納する。図７は購入カテゴリデータベース３５４の一例を示す図である。購入カテゴリデータベース３５４は、会員番号、品名を含む。会員番号は会員情報データベース３５３と共通とする。
【００３７】
購入提唱会員端末１０（００１：真須美）は、複数の購入賛同会員２と共同購入して利用したい品物があったら、共同購入依頼したい品物情報（品名、型番、初回使用日）を共同利用管理サーバー３０に送信する（ステップＳ４）。購入提唱会員１は、品名や型番の情報を既存のウェブ、雑誌、店頭などで入手する。
【００３８】
共同利用管理サーバー３０は、購入先選択依頼を行う（ステップＳ５）。ステップＳ５の詳細フローチャートを図８に示す。共同利用管理サーバー３０は、購入提唱会員端末１０から共同購入依頼したい品物情報を受信する（ステップａ１）と、受付番号を採番して共同購入提唱データベース３５５へ格納する（ステップａ２）。図９は共同購入提唱データベース３５５の一例を示す図である。共同購入依頼データベース３５５は、受付番号、会員番号、品名、型番、購入先番号、初回使用日などを含む。会員番号は会員情報データベース３５３と共通である。購入先番号はあとで記入される。
【００３９】
共同利用管理サーバー３０は、格納後、商品情報データベース３５１から型番を順次読み出して（ステップａ３）、共同購入依頼データベース３５５の「型番（KIMONO-01）」と比較し（ステップａ４）、一致するものを抽出する（ステップａ５）。この場合、図４に示す３点が抽出される。共同利用管理サーバー３０は、抽出された３点の情報を商品情報データベース３５１より取り出し、「購入先選択依頼書」を作成する（ステップａ６）。図１０は購入先選択依頼書の一例を示す図である。購入先選択依頼書には「購入先番号」、「価格」、「写真」、「購入先」、「コメント」などが記載される。共同利用管理サーバー３０は、作成した購入先選択依頼書を購入提唱会員端末１０（００１：真須美）のメールアドレス(MASUMI@JP)へメール送信する（ステップａ７）。
【００４０】
購入提唱会員端末１０（００１：真須美）は受信した購入先選択依頼書の回答欄に（「１．購入します（購入先番号の入力）」か「２．購入しません」）入力し、共同利用管理サーバー３０へ送信する（ステップＳ６）。
【００４１】
ステップＳ６で「購入します」が選択された場合、共同利用管理サーバー３０は、共同購入賛同者を募集する（ステップＳ７）。図１１は共同購入賛同者募集の詳細を示すフローチャートである。共同利用管理サーバー３０は、共同購入依頼データベース３５５の「購入先番号」欄に回答で選択された購入先番号を格納する（ステップｂ１）。共同利用管理サーバー３０は、さらに、購入先選択依頼書の回答と会員情報データベース３５３とを元に品物情報と購入提唱会員端末１０（００１：真須美）の情報とを共同購入利用者データベース３５６に格納し、「購入区分」欄に「○」を格納する（ステップｂ２）。図１２は共同購入利用者データベース３５６の一例を示す図である。
【００４２】
共同利用管理サーバー３０は、購入カテゴリデータベース３５４からデータを順次読み出して（ステップｂ３）、品名を共同購入提唱データベース３５５の品名「七五三着物」と照合し（ステップｂ４）、一致する会員番号を抽出する（ステップｂ５）。共同利用管理サーバー３０は、抽出した会員番号をキーに会員情報データベース３５３を検索してメールアドレスを洗い出す（ステップｂ６）。さらに、共同利用管理サーバー３０は、購入先番号と品名とをキーに商品情報データベース３５１からデータを抽出して（ステップｂ７）「共同購入のお知らせ」を自動作成する（ステップｂ８）。図１３は共同購入のお知らせの一例を示す図である。回答期日は共同購入提唱データベース３５５から抽出した初回使用日（２００４／１１／１０）に基づいて自動設定（例：１週間前）する。共同利用管理サーバー３０は、作成した共同購入のお知らせを、ステップｂ４で洗い出した会員番号に対応する購入賛同会員端末２０（００２：あきお、００４：アサミ、００５：トシユキ、００６：奈津子）にメール送信する（ステップｂ９）。
【００４３】
「共同購入のお知らせ」を受信した複数の購入賛同会員端末２０は、回答期日までに回答欄に（「１．購入します（購入人数条件、初回使用日）、「２．購入しません」）入力し、共同利用管理サーバー３０へ送信する（ステップＳ８）。
【００４４】
共同利用管理サーバー３０は、「共同購入のお知らせ」の回答を受信したら、共同購入会員と料金とを決定する（ステップＳ９）。図１４は共同購入会員と料金との決定の詳細を示すフローチャートである。共同利用管理サーバー３０は、回答期日まで回答を受信すると（ステップｃ１）、回答データを共同購入利用者データベース３５６へ格納する（ステップｃ２）。この時、格納するレコードは、回答が「１．購入します」だけのものとする。共同利用管理サーバー３０は、回答期日を過ぎたら共同購入利用者データベース３５６のレコードをカウントする（ステップｃ３）。図１１の場合は５件である。共同利用管理サーバー３０は、カウント後、共同購入利用者データベース３５６から購入提唱会員端末１０（００１：真須美）を抽出し、さらに、購入人数条件を満足する複数の購入賛同会員端末２０を抽出する（ステップｃ４）。ここで、購入賛同会員端末２０（００５：トシユキ）は購入人数条件が「５人以上」となっており、また同様に購入賛同会員端末２０（００６：奈津子）も「８人以上」となっているので条件には当てはまらない。したがって、この場合は５件から２件（００５：としゆき、００６：奈津子分）減って３件になり、購入人数条件に当てはまる複数の購入賛同会員端末２０は（００２：あきお、００４：アサミ）の２人分となる。この時、購入人数条件に当てはまる複数の購入賛同会員端末２０の「購入区分」に「○」を、当てはまらないものは「×」を格納する。またこれと同時に、「購入区分」に「○」が付いている購入提唱会員端末１０（００１：真須美）と複数の購入賛同会員端末２０（００２：あきお、００４：アサミ）の情報を「初回使用日」を昇順に並び替えて利用管理データベース３５７へ格納する（ステップｃ５）。図１５は利用管理データベース３５７の一例を示す図である。利用管理データベース３５７は、使用順番、会員番号、氏名、メールアドレス、初回使用日などを含む。さらに、共同利用管理サーバー３０は、利用管理データベース３５７から「使用順番」順に会員を読み出し、分担率データベース３５８を用いて、次の計算方法で共同購入料金の計算を行う（ステップｃ６）。図１６は分担率データベース３５８の一例を示す図である。分担率データベース３５８は、購入人数と使用順番とに対応した分担率％を含む。
【００４５】
＜共同購入料金の計算方法＞
基本使用料（例：価格（￥３００００）の８０％と仮定する）
￥３００００の８０％は￥２４０００
￥２４０００／３人＝￥８０００（１人当たりの基本使用料）
分担率（例：価格（￥３００００）の２０％と仮定する）
￥３００００の２０％は、￥６０００
「購入人数：３人」なので「使用順番」順からだと、分担率データベース３５８より、分担率は、１番：４５％、２番：３５％、３番：２０％となっているので次のように割り当てられる。
（使用順番）１番：真須美(2004/11/10)  分担率（４５％）＝￥２７００
２番：あきお(2004/11/12)  分担率（３５％）＝￥２１００
３番：アサミ(2004/11/20)  分担率（２０％）＝￥１２００
共同購入料金
００１：真須美…基本使用料（￥８０００）＋分担率（￥２７００）＝￥１０７００
００２：あきお…基本使用料（￥８０００）＋分担率（￥２１００）＝￥１０１００
００４：アサミ…基本使用料（￥８０００）＋分担率（￥１２００）＝￥９２００
となり、真須美は￥１０７００、あきおは￥１０１００、アサミは￥９２００支払うこととなる。分担率表を用いることにより、使用順番に応じた適正な料金を算出することができる。
【００４６】
共同利用管理サーバー３０は、共同購入利用者データベース３５６の「価格」欄にそれぞれ算出した共同購入料金を格納する（ステップｃ７）。格納後、共同利用管理サーバー３０は、共同購入利用者データベース３５６を元に「料金決定通知」を自動作成し（ステップｃ８）、該当する会員端末のメールアドレスに送付する（ステップｃ９）。図１７は料金決定通知の一例を示す図である。「料金決定通知」を受信した購入提唱会員１（００１：真須美）と複数の購入賛同会員２（００２：あきお、００４：アサミ）は、「料金決定通知」より料金と初回使用日、及び使用後の返送先の預かり業者５が確認でき、配送日まで待つことができる。
【００４７】
共同利用管理サーバー３０は、使用順番が１番の会員（００１：真須美）の初回使用日（２００４／１１／１０）の１ヶ月前（例として）になったら利用管理データベース３５７と会員情報データベース３５３の情報を元に「注文と配送のお願い」を自動作成する。図１８は注文と配送のお願いの一例を示す図である。共同利用管理サーバー３０は、作成した注文と配送のお願いを、販売業者端末４０（００１：丸月）と、預かり業者端末５０のそれぞれのメールアドレスに送付する（ステップＳ１０）。
【００４８】
販売業者端末４０（００１：丸月）は、「注文と配送のお願い」を受信すると、「使用順番」が１番の初回使用日の前日までに品物を会員（００１：真須美）に送るように手配する（ステップＳ１１）。また、預かり業者５は、使用順番が２番目以降の会員へ配送する役目があり、注文と配送のお願いにより配送先情報が把握できる。これにより、２番目以降は、預かり業者端末５０が会員宛に初回使用日の前日に配送することを最終の会員（００４：アサミ）になるまで繰り返し手配する。使用順番１番の会員への配送も預かり業者５が担当するようにしてもよい。使用順番が１番の会員（００１：真須美）は販売業者４より品物を受け取り、利用日の初回使用日（２００４／１１／１０）を過ぎたら「料金決定通知」に記載してある預かり業者５へ送付する（ステップＳ１２）。預かり業者端末５０は、返却された品物を、順番が２番の会員（００２：あきお）に、初回使用日（２００４／１１／１２）の前日までに配送するよう手配する（ステップＳ１３）。２番の会員は、初回使用日を過ぎたら品物を預かり業者５へ返送する（ステップＳ１４）。ステップＳ１３、ステップＳ１４の処理を、最終の会員（００４：アサミ）の使用順番が終わるまで人数分繰り返す。ステップＳ１２、ステップＳ１４も預かり業者５が集配するようにしてもよい。預かり業者５は、配送、使用の空白期間は品物を預かる。この例では、使用順番２と３の会員間で使用日に８日の差があるので、配送に要する日数を除いた空白期間は預かり業者５が預かる。会員は空白期間に品物を保管する必要がないので、保管中の破損や盗難のリスクを回避できる。
【００４９】
共同利用管理サーバー３０は、最終の使用順番（３番目）の会員（００４：アサミ）の初回使用日（２００４／１１／２０）が過ぎたら、全員の初回の利用が終わったと認識し、２回目の使用の案内を行う（ステップＳ１５）。図１９は２回目の使用の詳細を示すフローチャートである。
【００５０】
共同利用管理サーバー３０は、共同購入利用者データベース３５６よりデータを読み出して（ステップｄ１）、「ご利用の御案内」を自動作成する（ステップｄ２）。図２０はご利用の御案内の一例を示す図である。共同利用管理サーバー３０は、作成したご利用の御案内を、購入区分に「○」の付いている、購入提唱会員端末１０（００１：真須美）と複数の購入賛同会員端末２０（００２：あきお、００４：アサミ）のメールアドレスに送付し品物の２回目の利用が可能なことを通知する（ステップｄ３）。
【００５１】
会員は、共同利用管理サーバー３０より「ご利用の御案内」を受信することによりすべての初回の使用は終了し、品物の２回目以降の利用が可能になったことを知る。購入賛同会員２（００２：あきお）が２回目から利用する場合は、「利用申込書」を作成し共同利用管理サーバー３０へ送信する。図２１は利用申込書の一例を示す図である。
【００５２】
共同利用管理サーバー３０は、「利用申込書」を受信する（ステップｄ４）と、記載されている「受付ＮＯ（Ａ−１）」、「会員ＮＯ（００２：あきお）」が共同購入利用者データベース３５６の「購入区分」に「○」が付いている会員であるかを確認する（ステップｄ５）。「○」が付いている、つまり共同購入していることを確認したら、共同利用管理サーバー３０は、利用管理データベース３５７に該当会員（００２：あきお）の情報を追加格納する（ステップｄ６）。格納後、共同利用管理サーバー３０は、会員情報データベース３５３から抽出した会員情報と利用管理データベース３５７の情報とから「配送のお願い」を自動作成する（ステップｄ７）。図２２は配送のお願いの一例を示す図である。共同利用管理サーバー３０は、作成した配送のお願いを、預かり業者端末５０のメールアドレス（AZU@JP）と会員端末（００２：あきお）のメールアドレスとへメール送信する（ステップｄ８）。
【００５３】
預かり業者端末５０は、「配送のお願い」の受信により品物の配送先を知ることができる。同様に、会員（００２：あきお）は、利用申請許可がおりたことを理解する。
【００５４】
品物は、リサイクル情報データベース３５９に格納されている「使用制限回数」分だけ使用が可能である。図２３はリサイクル情報データベース３５９の一例を示す図である。リサイクル情報データベース３５９に格納するデータは、共同利用管理サーバー３０が、リサイクル業者端末６０から予め入手しておく。図２３の例では、「品名（七五三着物）」「型番（KIMONO-001）」は「使用制限回数（１０回）」である。共同利用管理サーバー３０は、この使用制限回数を満たすまでステップ１５の処理を繰り返す。共同利用管理サーバー３０は、「制限使用回数（１０回）」を満たすまで利用管理データベース３５７に会員の情報の書き込みを行う。共同利用管理サーバー３０は、最終レコード（１０レコード）の「初回、次回使用日」を過ぎたら、買取情報データベース３５２の「品名（七五三着物）」「型番（KIMONO-001）」のレコードを抽出し、「買取価格」の一番高いリサイクル業者６（００３：Ｃ社）を選択する。また、「リサイクル品買取及び送付のお願い」を作成し、預かり業者端末５０と選択したリサイクル業者端末６０（００３：Ｃ社）とのメールアドレスにメール送信する（ステップＳ１６）。図２４はリサイクル品買取及び送付のお願いの一例を示す図である。
【００５５】
預かり業者端末５０は、「リサイクル品買取及び送付のお願い」を受信後、リサイクル業者６（００３：Ｃ社）への「品物（七五三着物）」の配送手配を行う（ステップＳ１７）。リサイクル業者６（００３：Ｃ社）は、預かり業者５より品物を受け取り、この品物を処理することができる。
【００５６】
共同利用管理サーバー３０は、下記のようにして売上金割り当て金額を算出して会員端末に通知する（ステップＳ１８）。共同利用管理サーバー３０は、共同購入利用者データベース３５６の「購入区分（○）」の人数をカウントする（３人）。
計算方法：
売上金割り当て金額＝￥１５０００（買取価格）／３（人数）＝￥５０００
上記情報により「利用停止及びリサイクル金額のお知らせ」を作成し、購入提唱会員端末１０（００１：真須美）、複数の購入賛同会員端末２０（００２：あきお、００４：アサミ）のメールアドレスにメール送信する。図２５は利用停止及びリサイクル金額のお知らせの一例を示す図である。このメールを受信した会員は、品物（七五三着物）が利用中止になってリサイクルで販売されたことと、これによる売上金割り当て金額とを知る。
【００５７】
共同利用管理サーバー３０は、ステップＳ９で決定した料金とステップＳ１８で算出した売上金割り当て金額とを用いて、各会員への請求金額を算出し、各会員に請求する。リサイクル業者６に買い取ってもらうことにより、会員は品物を割安に使用できるというメリットがある。
【００５８】
ステップＳ６で「購入しません」が選択された場合、共同利用管理サーバー３０は、購入しない事を把握し、共同購入利用者データベース３５６の購入提唱会員端末１０（００１：真須美）「購入区分」欄に「×」を書き込み、処理は終了する。
【００５９】
次に、本発明の第２の実施の形態について説明する。図２６は第２の実施の形態の全体構成を示すブロック図である。第２の実施の形態は第１の実施の形態の構成（図１）に加えて、販売業者端末４０がＩＤタグリーダライタ４７を有し、預かり業者端末５０がＩＤタグリーダライタ５７を有する。
【００６０】
販売業者４は販売する品物にＩＤタグを取り付ける。ＩＤタグとしてはＲＦＩＤ（Radio Frequency Identification）タグが一般的である。販売業者端末４０はＩＤタグリーダライタ４７を用いて、品物を特定するコードをＩＤタグに書き込む。
【００６１】
預かり業者端末５０は、共同購入品に取り付けられたＩＤタグに、ＩＤタグリーダライタ５７を用いてデータを読み書きすることにより、共同購入品の状況管理を行う。書き込むデータは、例えば、預かり業者５が共同購入品を受け取った日付と送品元、預かり業者５が共同購入品を発送した日付と送品先などである。預かり業者端末５０はこれらのデータをＩＤタグに書き込むと共に自端末の記憶部に格納する。格納したデータにより、共同購入品の実際の預かり、配送状況が把握できる。また、預かり業者端末５０がＩＤタグに書き込まれたコードを読み取ることにより、共同購入品が会員の故意や過失により別の品物とすり替わる危険性を減少させることができる。
【００６２】
ＩＤタグの読み書きデータを預かり業者端末５０から共同利用管理サーバー３０に送信するようにしてもよい。共同利用管理サーバー３０は、送信されたデータを記憶装置３３に格納して、共同購入品の実際の預かり、配送状況を把握できる。
【００６３】
本発明の第１、第２の実施の形態の共同利用管理サーバー３０の動作はコンピュータ・プログラム処理により行わせることが可能である。すなわち、記録媒体に記録したプログラムを共同利用管理サーバー３０に読み込ませるか、あるいは、ネットワークからプログラムを共同利用管理サーバー３０に読み込ませて、第１、第２の実施の形態で説明した動作を実行させる。
【図面の簡単な説明】
【００６４】
【図１】本発明の第１の実施の形態の全体構成を示すブロック図である。
【図２】共同利用管理サーバーのデータベースの構成を示す図である。
【図３】本発明の第１の実施の形態の全体動作を示す図である。
【図４】商品情報データベースの一例を示す図である。
【図５】買取情報データベースの一例を示す図である。
【図６】会員情報データベースの一例を示す図である。
【図７】購入カテゴリデータベースの一例を示す図である。
【図８】購入先選択依頼の詳細フローチャートである。
【図９】共同購入提唱データベースの一例を示す図である。
【図１０】購入先選択依頼書の一例を示す図である。
【図１１】共同購入賛同者募集の詳細フローチャートである。
【図１２】共同購入利用者データベースの一例を示す図である。
【図１３】共同購入のお知らせの一例を示す図である。
【図１４】共同購入会員と料金との決定の詳細を示すフローチャートである。
【図１５】利用管理データベースの一例を示す図である。
【図１６】分担率データベースの一例を示す図である。
【図１７】料金決定通知の一例を示す図である。
【図１８】注文と配送のお願いの一例を示す図である。
【図１９】２回目の使用の詳細を示すフローチャートである。
【図２０】ご利用の御案内の一例を示す図である。
【図２１】利用申込書の一例を示す図である。
【図２２】配送のお願いの一例を示す図である。
【図２３】リサイクル情報データベースの一例を示す図である。
【図２４】リサイクル品買取及び送付のお願いの一例を示す図である。
【図２５】利用停止及びリサイクル金額のお知らせの一例を示す図である。
【図２６】本発明の第２の実施の形態の全体構成を示すブロック図である。
【符号の説明】
【００６５】
１    購入提唱会員
２    購入賛同会員
３    共同利用事業運営者
４    販売業者
５    預かり業者
６    リサイクル業者
１０    購入提唱会員端末
１１    入力部
１２    表示部
２０    購入賛同会員端末
２１    入力部
２２    表示部
３０    共同利用管理サーバー
３３    記憶装置
３５    データベース
４０    販売業者端末
４１    入力部
４２    表示部
５０    預かり業者端末
５１    入力部
５２    表示部
６０    リサイクル業者端末
６１    入力部
６２    表示部
３５１    商品情報データベース
３５２    買取情報データベース
３５３    会員情報データベース
３５４    購入カテゴリデータベース
３５５    共同購入提唱データベース
３５６    共同購入利用者データベース
３５７    利用管理データベース
３５８    分担率データベース
３５９    リサイクル情報データベース
【図１】
2007025772.tif 000003
【図２】
2007025772.tif 000004
【図３】
2007025772.tif 000005
【図４】
2007025772.tif 000006
【図５】
2007025772.tif 000007
【図６】
2007025772.tif 000008
【図７】
2007025772.tif 000009
【図８】
2007025772.tif 000010
【図９】
2007025772.tif 000011
【図１０】
2007025772.tif 000012
【図１１】
2007025772.tif 000013
【図１２】
2007025772.tif 000014
【図１３】
2007025772.tif 000015
【図１４】
2007025772.tif 000016
【図１５】
2007025772.tif 000017
【図１６】
2007025772.tif 000018
【図１７】
2007025772.tif 000019
【図１８】
2007025772.tif 000020
【図１９】
2007025772.tif 000021
【図２０】
2007025772.tif 000022
【図２１】
2007025772.tif 000023
【図２２】
2007025772.tif 000024
【図２３】
2007025772.tif 000025
【図２４】
2007025772.tif 000026
【図２５】
2007025772.tif 000027
【図２６】
2007025772.tif 000028